(57)【要約】【課題】より有効に磁力を作用させることができる、処理装置を提供する。【解決手段】管路１２内を流れる水等の流体に磁力を作用させる複数の磁石１８，２０を備える処理装置１０であって、複数の磁石１８，２０は、それぞれ、たとえば５つの稜角部Ｄ１，Ｄ２，Ｄ３，Ｄ４，Ｄ５を含む５角形柱状体に形成される。複数の磁石１８，２０は、管路１２を間に挟んで、管路１２の軸方向と直交する方向に対向配置され、且つ、管路１２の軸方向に所定の間隔を隔てて配置される。複数の磁石１８，２０は、それぞれ、相反する磁極が対向するように配置される。一方側に配置された複数の磁石１８の稜角部Ｄ３，Ｄ５と、他方側に配置された複数の磁石２０の稜角部Ｄ３，Ｄ５とは、管路１２の胴周面に当接して配置される。【選択図】図１
2006000819.tif 000002
【特許請求の範囲】
【請求項１】
通路を流れる水等の流体に磁力を作用させる磁石を備える処理装置であって、
前記磁石は、頂角部を含み、
前記磁石は、相反する磁極が対向するように、前記通路の一方側および他方側に配置されると共に、前記通路の一方側に配置された前記磁石の前記頂角部と、前記通路の他方側に配置された他の前記磁石の前記頂角部とが、対向するように配置されることを特徴とする、処理装置。
【請求項２】
通路を流れる水等の流体に磁力を作用させる磁石を備える処理装置であって、
前記磁石は、多角形柱状体を含み、
前記磁石は、相反する磁極が対向するように、前記通路の一方側および他方側に配置されると共に、前記通路の一方側に配置された前記磁石の稜角部と、前記通路の他方側に配置された他の前記磁石の稜角部とが、対向するように配置されることを特徴とする、処理装置。
【請求項３】
前記磁石は、前記通路の長手方向と交差する方向に対向するように配置されることを特徴とする、請求項１または請求項２に記載の処理装置。
【請求項４】
管路内を流れる水に磁力を作用させる複数の磁石を備える処理装置であって、
前記複数の磁石は、その一方側に形成される平面状部、および、その他方側に突出して形成される突出稜角部を含む多角柱状体に形成され、
前記複数の磁石は、相反する磁極が対向するように配置されると共に、前記磁石の前記突出稜角部と他の前記磁石の前記突出稜角部との間に、前記管路を挟持するように、前記管路の軸方向と直交する方向に対向して配置されることを特徴とする、処理装置。
【請求項５】
前記複数の磁石の前記平面状部側は、ヨーク部により支持されることを特徴とする、請求項４に記載の処理装置。
【発明の詳細な説明】
【技術分野】
【０００１】
本願発明は、処理装置に関し、特に、たとえば通路内を流れる水道水を磁場で活性化処理する、処理装置に関する。
【背景技術】
【０００２】
本願発明の背景となる従来の技術には、水等の流体が流れるパイプを挟持する反磁性体製のハウジング内に２つの磁石を設けている装置がある（例えば、特許文献１参照。）。この装置では、各磁石の両極をパイプの両側方に配置し、且つ、２つの磁石の極性が互いに逆になるように配置されている。２つの磁石により交番磁界が発生し、パイプ内を流れる流体の分子運動が活性化される。この装置では、ハウジング外部への磁力線の漏れをなくし、磁力が水等の流体の分子に効率よく作用させるために、ハウジングを反磁性体により形成している。
また、本願発明の背景となる従来の技術には、非磁性体の内部に形成され小径部及び大径部が交互に連続してなる水路の小径部の外周に磁石を配置し、この水路の小径部内を流れる水を磁界で処理して磁化水にする装置もある（例えば、特許文献２参照。）。この装置では、特に、水路径を小さくして水路に対して相反する磁極が対向するように配置した磁石間の距離を小さくすることによって、水路中を流れる水に大きな磁力を作用させている。
【０００３】
【特許文献１】実用新案登録第３０３２０００号公報（第５頁、図４、図３）
【特許文献２】特開平１１−３３５５５号公報（第３−５頁、図２、図３、図５、図８、図９）
【発明の開示】
【発明が解決しようとする課題】
【０００４】
このような従来の技術では、移送路中を流れる水等の流体にできるだけ大きな磁力を作用させるために、特許文献１および特許文献２に示すような構造を有するものであるが、いずれの技術においても、磁石からより大きな磁力を移送路中の水に作用させるには不充分なものであった。
特許文献１に示す技術では、上向きコ字状の磁石の面と面との間に水の移送路が配置され、特許文献２に示す技術では、円板状の磁石の主面間に水路が配置されている。本願発明の発明者は、磁石の面と面との間に水路を配置していることが、磁石から出る磁力線をより有効に水に作用させていない要因であると考え、鋭意研究を重ねた結果、上記問題点を解決するに至った。
【０００５】
それゆえに、本願発明の主たる目的は、より有効に磁力を作用させることができる、処理装置を提供することである。
【課題を解決するための手段】
【０００６】
請求項１にかかる本願発明は、通路を流れる水等の流体に磁力を作用させる磁石を備える処理装置であって、磁石は、頂角部を含み、磁石は、相反する磁極が対向するように、通路の一方側および他方側に配置されると共に、通路の一方側に配置された磁石の頂角部と、通路の他方側に配置された他の磁石の頂角部とが、対向するように配置されることを特徴とする、処理装置である。
請求項２にかかる本願発明は、通路を流れる水等の流体に磁力を作用させる磁石を備える処理装置であって、磁石は、多角形柱状体を含み、磁石は、相反する磁極が対向するように、通路の一方側および他方側に配置されると共に、通路の一方側に配置された磁石の稜角部と、通路の他方側に配置された他の磁石の稜角部とが、対向するように配置されることを特徴とする、処理装置である。
請求項３にかかる本願発明は、請求項１または請求項２にかかる発明に従属する発明であって、磁石は、通路の長手方向と交差する方向に対向するように配置されることを特徴とする、処理装置である。
請求項４にかかる本願発明は、管路内を流れる水に磁力を作用させる複数の磁石を備える処理装置であって、複数の磁石は、その一方側に形成される平面状部と、その他方側に突出して形成される突出稜角部とを含む多角柱状体に形成され、複数の磁石は、相反する磁極が対向するように配置されると共に、磁石の突出稜角部と他の磁石の突出稜角部との間に、管路を挟持するように、管路の軸方向と直交する方向に対向して配置されることを特徴とする、処理装置である。
請求項５にかかる本願発明は、請求項４にかかる発明に従属する発明であって、複数の磁石の平面状部側は、ヨーク部により支持されることを特徴とする、処理装置である。
【０００７】
〔作用〕
請求項１にかかる処理装置では、磁石が頂角部を有し、一方側の磁石の頂角部と他方側の磁石の頂角部とが対向配置され、それらの間に発生する磁場に通路が配置されるため、一方側の磁石から他方側の磁石の方向に磁束を集中的に誘導することが可能となる。つまり、磁石の頂角部は、磁石のＮ極およびＳ極の磁束が集まってくる端であり、最も磁力が強くなっているところなので、一方側の磁石の頂角部および他方側の磁石の頂角部の間に形成された磁場における磁力は、強いものとなる。そのため、該磁場に配置された通路を流れる水等の流体に対して、より強い磁力を有効に作用させることが可能となる。
請求項２にかかる処理装置では、磁石が多角形柱状体を含み、一方側の磁石の稜角部と他方側の磁石の稜角部とが対向配置され、それらの間に挟まれるように、通路が配置されるので、一方側の磁石の稜角部から他方側の磁石の稜角部の方向に磁束を集中的に誘導することが可能となる。この場合、磁石の稜角部に磁束が集まってくるので、一方側の磁石の稜角部および他方側の磁石の稜角部間に磁力の強い磁場が形成される。そのため、該磁場に配置された通路を流れる水等の流体に対して、より強い磁力を有効に作用させることが可能となる。
請求項３にかかる処理装置では、磁石は、通路の長手方向と交差する方向に対向するように配置されるので、通路を流れる水等の流体の流れ方向に対して直角に交差するように磁束線が作用する。そのため、流体に対して、均一な磁力を集中してより有効に作用させることが可能となる。
請求項４にかかる処理装置では、複数の磁石が、それぞれ、平面状部および突出稜角部を有する多角形柱状体に形成され、相反する磁極が対向するように配置されると共に、磁石の突出稜角部と他の磁石の突出稜角部との間に、管路を挟持するように、管路の軸方向と直交する方向に対向して配置されるため、一方側の磁石の突出稜角部から他方側の磁石の稜角部の方向に、磁束を集中的に誘導することが可能となる。したがって、一方側の磁石の突出稜角部および他方側の磁石の稜角部の間に形成された磁場における磁力は、強いものとなる。そのため、該磁場に配置された通路を流れる水等の流体に対して、より強い磁力を有効に作用させることが可能となる。
請求項５にかかる処理装置では、多角形柱状体に形成された磁石の突出稜角部と対向する平面状部側が、ヨーク部により支持されるため、管路の軸方向と直交する方向に対向配置された各磁石の磁力が強められる。
【発明の効果】
【０００８】
本願発明によれば、より有効に磁力を作用させることができる、処理装置が得られる。
【０００９】
本願発明の上述の目的，その他の目的，特徴および利点は、図面を参照して行う以下の発明を実施するための最良の形態の説明から一層明らかとなろう。
【発明を実施するための最良の形態】
【００１０】
〔実施例〕
図１は、本願発明の一実施例を示す要部図解図である。本実施例にかかる処理装置１０は、たとえば弱磁性体、好ましくは反磁性体からなるハウジング（図示せず）を含む。ハウジング（図示せず）は、合成樹脂材料等の非磁性体で形成するようにしてもよい。ハウジング（図示せず）の中には、水等の流体が流れる通路として、たとえば円筒状の管路１２が配設される。管路１２の外側には、管路１２の長手方向（以下、軸方向という。）に所定の間隔を隔てて、複数の磁石群１４および１６が配置される。磁石群１４および磁石群１６は、管路１２の軸方向に直交する方向（以下、直径方向という。）に対向して配置される。
【００１１】
本実施例では、一方の磁石群１４が、管路１２の直径方向の一方側で且つその軸方向に所定の間隔を隔てて配置されるたとえば４つの磁石１８を含み、他方の磁石群１６が、管路１２の直径方向の他方側で且つその軸方向に所定の間隔を隔てて配置されるたとえば４つの磁石２０を含むものである。一方の磁石群１４の各磁石１８と他方の磁石群１６の各磁石２０とは、それぞれ、管路１２を間に挟んで管路１２の直径方向に対向するように配置される。一方の磁石群１４の各磁石１８と他方の磁石群１６の各磁石２０とは、それぞれ、相反する磁極が対向するように配置される。
【００１２】
一方の磁石群１４の各磁石１８および他方の磁石群１６の各磁石２０は、それぞれ、同じ構造を有するので、１つの磁石１４について説明する。本実施例では、磁石１４が、たとえば５角形柱状体に形成される。磁石１４は、たとえば断面方形の４角形柱状体の１つの側面に、該側面の長手方向に沿って連続するＶ字状の凹部を設けることによって、５角形柱状体に形成される。
【００１３】
すなわち、磁石１４は、頂角部としてのたとえば５つの稜角（dihedral angle）部Ｄ１，Ｄ２，Ｄ３，Ｄ４，Ｄ５を有する。また、稜角部Ｄ１−稜角部Ｄ２間、稜角部Ｄ２−稜角部Ｄ３間および稜角部Ｄ５−稜角部Ｄ１間は、それぞれ、平面状部に形成される。さらに、磁石１４は、稜角部Ｄ３−稜角部Ｄ５間にＶ字状の凹部Ｇを有する。この場合、稜角部Ｄ３と稜角部Ｄ５との間には、凹部Ｇが形成されるので、結果的に、稜角部Ｄ３および稜角部Ｄ５は、たとえば稜角部Ｄ１，Ｄ２に比べて、外側に突出した突出稜角部として形成されるものである。
この磁石１４では、稜角部Ｄ１−稜角部Ｄ２間の平面状部と凹部Ｇとが対向し、稜角部Ｄ２−稜角部Ｄ３間の平面状部と稜角部Ｄ５−稜角部Ｄ１間の平面状部とが対向するように配置される。
【００１４】
一方の磁石群１４の各磁石１８および他方の磁石群１６の各磁石２０は、それぞれ、稜角部Ｄ３および稜角部Ｄ５が管路１２の外周面に当接されるように、管路１２を磁石群１４および磁石群１６間に挟んで管路１２の直径方向に対向して配置される。また、一方の磁石群１４の各磁石１８および他方の磁石群１６の各磁石２０は、それぞれ、稜角部Ｄ１−稜角部Ｄ２間の平面状部が、ヨーク部２２によって支持される。ヨーク部２２は、金属材料でたとえばプレート状に形成される。ヨーク部２２は、一方の磁石群１４の各磁石１８および他方の磁石群１６の各磁石２０に対して、外側に位置するものである。
【００１５】
本実施例では、一方の磁石群１４の各磁石１８の稜角部Ｄ３，Ｄ５と、他方の磁石群１６の各磁石２０の稜角部Ｄ３，Ｄ５との間に、管路１２を挟むようにして、一方の磁石群１４の各磁石１８と他方の磁石群１６の各磁石２０とが対向配置されるので、一方の磁石群１４の各磁石１８から他方の磁石群１６の各磁石２０の方向に、磁束を集中的に誘導することができる。
すなわち、一方の磁石群１４の各磁石１８の稜角部Ｄ３，Ｄ５と、他方の磁石群１６の各磁石２０の稜角部Ｄ３，Ｄ５との間に、磁力の強い磁場が形成される。そのため、この磁場に配置された管路１２を流れる水等の流体に対して、強い磁力を有効に作用させることができる。
【００１６】
さらに、本実施例では、一方の磁石群１４の各磁石１８および他方の磁石群１６の各磁石２０がヨーク部２２により支持されるため、それによって、各磁石１８および各磁石２０による磁力が強められる。また、各磁石１８および各磁石２０の外側にヨーク部２２が配置されるため、各磁石１８および各磁石２０からの磁力線は、ヨーク部２２の外側に作用することがなく、ハウジング（図示せず）の外部に漏洩することもない。
【００１７】
図２は、本願発明の他の実施例を示す要部図解図である。図２に示す本実施例の処理装置１０は、上述した実施例の処理装置１０と比べて、特に、磁石１８，２０の稜角部の数および形成される部位が相違する。
すなわち、図１に示す実施例では、稜角部Ｄ１−稜角部Ｄ２間に形成される平面状部と対向する凹部Ｇの両側に、外側に突出する２つの稜角部Ｄ３および稜角部Ｄ５が形成されたが、図２に示す実施例では、稜角部Ｄ１−稜角部Ｄ２間に形成される平面状部と対向する凹部Ｇが形成されておらず、稜角部Ｄ３−稜角部Ｄ５間の中間部の略中央に、外側に突出する１つの稜角部Ｄ４が形成される。稜角部Ｄ４は、突出稜角部として形成される。
【００１８】
図２に示す本実施例では、磁石群１４の各磁石１８の１つの稜角部Ｄ４と、磁石群１６の各磁石２０の１つの稜角部Ｄ４とが対向配置されるため、２つの稜角部Ｄ３および稜角部Ｄ５が対向配置される図１の実施例と比べて、一方の磁石１８の稜角部Ｄ４から他方の磁石２０の稜角部Ｄ４の方向へと、磁束を１つの方向に集中的に誘導することができる。
【００１９】
一方、図１に示す実施例では、磁石群１４の各磁石１８の２つの稜角部Ｄ３および稜角部Ｄ５と、磁石群１６の各磁石２０の２つの稜角部Ｄ３および稜角部Ｄ５とが対向配置されるため、一方の磁石１８の稜角部Ｄ３および稜角部Ｄ５から他方の磁石２０の稜角部Ｄ３および稜角部Ｄ５の方向へと、磁束を２つの方向に分けて誘導することができる。
【００２０】
上述の各実施例では、一方の磁石群１４の各磁石１８および他方の磁石群１６の各磁石２０は、それぞれ、管路１２に当接される側がＮ極に形成され、その反対側がＳ極に形成されたが、管路１２に当接される側をＳ極に形成し、その反対側をＮ極に形成するようにしてもよい。
また、磁石群１４の各磁石１８および磁石群１６の各磁石２０において、管路１２に当接される側の磁極の配列は、管路１２の軸方向に間隔を隔てて隣合う磁石１８，２０の磁極が、交互に相違する磁極になるように配列してもよい。
なお、上述の各実施例では、一方の磁石群１４および他方の磁石群１６の磁石１８，２０の数が、それぞれ、たとえば４つに形成されたが、磁石群１４，１６を構成する各磁石１８，２０の数は、それに限定されるものではなく、適宜、変更可能である。
【００２１】
さらに、上述の各実施例では、一方の磁石群１４および他方の磁石群１６の磁石１８，２０が、それぞれ、同じ形状の磁石により形成されたが、それに限定されるものではなく、たとえば図１に示す実施例で用いられた磁石１８，２０を管路１２の直径方向の一方側で且つその軸方向に所定の間隔を隔てて配置し、たとえば図２に示す実施例で用いられた磁石１８，２０を管路１２の直径方向の一方側で且つその軸方向に所定の間隔を隔てて配置するようにしてもよい。
【００２２】
また、上述の実施例では、磁石１８，２０がたとえば５角形柱状体に形成されたが、磁石の形状はそれに限定されるものではなく、たとえば５角形の多角形柱状体に形成されてもよく、さらに、磁石１８，２０は、たとえば円柱状、円錐台状、円錐状、リング状、その他のブロック形状で、且つ、その一部に外側に突出する頂角部を有する形状に形成されてもよい。
【図面の簡単な説明】
【００２３】
【図１】本願発明の一実施例を示す要部図解図である。
【図２】本願発明の他の実施例を示す要部図解図である。
【符号の説明】
【００２４】
１０  処理装置
１２  管路
１４，１６  磁石群
１８，２０  磁石
２２  ヨーク部
Ｄ１，Ｄ２，Ｄ３，Ｄ４，Ｄ５  稜角部
Ｇ  凹部
【図１】
2006000819.tif 000003
【図２】
2006000819.tif 000004